(57)【要約】【課題】複数種類の光ディスクにおいて、１種類の半導体レーザを使用して、光ディスクの表面からの反射光量と信号面の反射光量を確実に判別し、かつ、光ディスクの種類もミス無く判別する事ができるようにすること。【解決手段】光ディスク２００から反射される光ビームの反射光量を検出する光検出素子１１６と、光ディスク２００の表面２００ａからの反射光量Ｌａと光ディスク２００の信号面２００ｂからの反射光量Ｌｂとの間の値に設定した基準レベルＬｓと信号面２００ｂからの反射光量Ｌｂとの比較により、光ディスク２００の種類を判別するディスク判別部１３１とディスク判別部１３１による基準レベルＬｓと信号面２００ｂからの反射光量Ｌｂとの比較に先立って光検出素子１１６により検出した反射光量Ｌａ、Ｌｂを増幅するゲインアンプ１２２とを具備する。【選択図】図１
2007334981.tif 000002
【特許請求の範囲】
【請求項１】
光ディスクの信号面で反射される反射光を検出し、その光量に応じた電気信号を出力する反射光量検出手段と、前記反射光量検出手段が出力した電気信号を増幅する増幅手段と、前記増幅手段により増幅された電気信号から前記光ディスクの種類を判別する光ディスク判別手段とを具備する光ディスク装置であって、
前記増幅手段は、複数の増幅率を切り替えて前記反射光量検出手段から出力された電気信号を増幅することを特徴とする光ディスク装置。
【請求項２】
前記増幅手段は、判別する前記光ディスクの種類にかかわらず、前記光ディスク判別手段による光ディスクの種類判別前に、所定の増幅率で増幅することを特徴とする請求項１記載の光ディスク装置。
【請求項３】
前記光ディスク判別手段は、前記増幅手段により増幅された電気信号のピーク値または、振幅を測定することを特徴とする請求項１または請求項２記載の光ディスク装置。
【請求項４】
前記増幅手段は、前記光ディスク判別手段の判別結果に応じて、前記反射光量検出手段から出力された電気信号の増幅率を切り替えることを特徴とする請求項１から請求項３のいずれかに記載の光ディスク装置。
【発明の詳細な説明】
【技術分野】
【０００１】
本発明は、記録媒体としての光ディスクの種類を判別する光ディスク装置に関する。
【背景技術】
【０００２】
近年、音声情報が記録されたＣＤ（コンパクトディスク）や映像情報等も収録可能なＣＤ−ＲＯＭ等の光ディスクが広く普及している。また最近では長時間の動画に対応するために光ディスクの高密度化が進んでおりＤＶＤ（デジタルディスクまたはデジタルバーサタイルディスク）と称される大容量光ディスクが実用化されている。
【０００３】
また、家庭用のＤＶＤレコーダやパーソナルコンピュータの普及により、記録可能な光ディスクの種類も増加しており、例えば、ＣＤ−Ｒ、ＣＤ−ＲＷ、ＤＶＤ−Ｒ、ＤＶＤ−ＲＷ、ＤＶＤ−ＲＡＭ等の様々な種類の媒体がある。
【０００４】
このため、複数種類の光ディスクのデータを記録再生する光ディスク装置では、光ディスクの種類を迅速にかつ正確に判別する技術が強く求められている。
【０００５】
従来の光ディスク装置は、図８に示すように、判別部１、ＤＶＤ用光源部７、ＣＤ用光源部９、対物レンズ１１、アクチュエータ１２、アクチュエータドライバ部１３、ＤＶＤ用光検出部１５、ＣＤ用光検出部１８を備えている。
【０００６】
ＤＶＤ用光源部７、ＣＤ用光源部９は、例えば半導体レーザ素子で構成され、光ディスク２４の信号面（記録面）に対し記録再生用のコヒーレント光を出力する光源である。
【０００７】
対物レンズ１１は、光ディスク２４の信号面に光ビームを微小スポットに収束するレンズであり、ＤＶＤ用光検出部１５、ＣＤ用光検出部１８は、光ディスク２４の信号面からの反射光を受光して電気信号に変換するものである。
【０００８】
アクチュエータ１２は、対物レンズ１１と連結しており、アクチュエータドライバ部１３の駆動信号により光軸方向へ進退させる。判別部１は、ＤＶＤ用光検出部１５、ＣＤ用光検出部１８で受光されて電気信号に変換された反射光量信号を測定し、測定された反射光量信号の中で所定レベル以上となる反射光量信号を検出する。
【０００９】
このように構成された光ディスク装置の動作について説明する。
【００１０】
ＤＶＤ用光源部７とＣＤ用光源部９は同時に発光する事が可能であり、各光源部から出射される各光ビームは対物レンズ１１に入射する。対物レンズ１１は、アクチュエータ１２に連結されており、アクチュエータドライバ部１３によって光軸方向に強制的に駆動されてフォーカスサーチが行われ、光軸上の異なった位置に焦点が結ばれる。
【００１１】
ＤＶＤ用光検出部１５、ＣＤ用光検出部１８は、光ディスク２４の信号面で反射される各光ビームの反射光を検出すると共に各反射光の反射光量を検出して電気信号に変換し、判別部１は、その電気信号の波形情報により光ディスク２４の種類を判別し、波形情報が一定の基準レベルを超えた場合にフォーカスサ−ボループを閉じられてフォーカスサーボ引き込みが行われる。
【００１２】
基準レベルは、ＤＶＤとＣＤとを判別する事が可能なレベルに設定されている（例えば特許文献１参照）。
【特許文献１】特開平１１−３２８６８４号公報
【発明の開示】
【発明が解決しようとする課題】
【００１３】
しかしながら、前記従来の光ディスク装置では、複数種類の半導体レ−ザを同時に発光しているが、近年、部品点数削減による低コスト化が進められている光ピックアップでは、２波長モノリシックレーザに代表されるレーザを採用しており、複数種類の半導体レーザを同時に発光する事はできない。
【００１４】
ここで、２波長モノリシックレーザを使用した場合に、複数種類の半導体レーザを同時に発光する事ができない理由について述べる。
【００１５】
前記光源部は、半導体レーザと光ビームの出射光量に応じた電気信号を出力する受光部で構成され、各光源用ドライバ部にて出射光量が一定になるようにコントロールされる。
【００１６】
光源用ドライバ部は、受光部からの電気信号を用いて、その電気信号を一定にすることで半導体レーザの電流をコントロールする。
【００１７】
従来の光ディスク装置に使用されている前記各光源部は、ＤＶＤ用光源部７にはＤＶＤ用半導体レーザとＤＶＤ用受光部、ＣＤ用光源部９にはＣＤ用半導体レーザとＣＤ用受光部が備わっており、ＤＶＤ用半導体レーザとＣＤ用半導体レーザが発光した場合は、各々出射光量に応じた電気信号を出力する受光部があるので、ＤＶＤ光源用ドライバ部およびＣＤ光源用ドライバ部が各々光ディスク装置に備わっていれば、同時に各々の半導体レーザを発光する事が可能である。
【００１８】
一方、２波長モノリシックレーザでは、光源部はＤＶＤ用半導体レーザとＣＤ用半導体レーザとＤＶＤ／ＣＤ共通の受光部で構成されており、受光部が共通であるため、同時に発光させた場合に、受光部は、ＤＶＤ用半導体レーザとＣＤ用半導体レーザの出射光量が加算値を検出する事になり、光源用ドライバ部ではＤＶＤ用半導体レーザとＣＤ用半導体レーザの出射光量を正確にコントロールする事ができない。
【００１９】
また、前記従来の光ディスク種類判別方法および光ディスク装置では、光ディスクの表面からの反射光量に対する処置については考慮されていない。
【００２０】
昨今、特に記録可能な光ディスクの大容量化が進んでおり、片面に２つの記録可能な層をもった低反射率の光ディスクが登場しつつある。
【００２１】
すなわち、光ディスクの表面による反射光量は、波長による多少の差はあるものの一般的に５％程度であるが、この片面に記録可能な２つ層をもつ光ディスクの信号面の反射光量は１０％程度となっており、半導体レーザを光ディスクに照射した時の光ディスクの信号面から反射光量と表面からの反射光量との光量差に大差が生じず、複数種類の光ディスクの判別をする為の一定の基準レベルでは、光ディスクの信号面からの反射光量なのか、または、光ディスクの表面からの反射光量なのか判断することが難しくなっている。
【００２２】
さらに、この片面に記録可能な２つ層をもつ光ディスクの場合、例えば半導体レーザや対物レンズやアクチュエータやレンズで構成される光ピックアップ、光ディスク装置を構成して電気部品の特性ばらつきによっても、複数種類の光ディスクの判別をする為の一定の基準レベルでは、光ディスクの信号面からの反射光量なのか、または、光ディスクの表面からの反射光量なのか判断することが難しくなっている。
【００２３】
本発明は、このような従来の問題点を解決するために、複数種類の光ディスクにおいて、１種類の半導体レーザを使用して、光ディスクの表面からの反射光量と信号面の反射光量を確実に判別し、かつ、光ディスクの種類もミス無く判別する事ができる光ディスク装置を提供することを目的とする。
【課題を解決するための手段】
【００２４】
前記目的を達成するために、本発明の光ディスク装置は、光ディスクの信号面で反射される反射光を検出し、その光量に応じた電気信号を出力する反射光量検出手段と、前記反射光量検出手段が出力した電気信号を増幅する増幅手段と、前記増幅手段により増幅された電気信号から前記光ディスクの種類を判別する光ディスク判別手段とを具備する光ディスク装置であって、前記増幅手段は、複数の増幅率を切り替えて前記反射光量検出手段から出力された電気信号を増幅する構成を採る。
【００２５】
前記増幅手段は、複数の増幅率を切り替えて前記反射光量検出手段から出力された電気信号を増幅することにより、信号面の反射率が異なる様々な光ディスクに対して各々最適な増幅率で光ディスクの種類の判別あるいは安定した記録再生が可能になる。
【００２６】
前記増幅手段は、判別する前記光ディスクの種類にかかわらず前記光ディスク判別手段による光ディスクの種類判別前に、所定の増幅率で増幅することにより、光ディスクの信号面の反射光量と、表面からの反射光量との光量差を所定の増幅率で大きくすることが可能になり、光ディスク判別手段で設定されている基準レベルと比較し易くなる。
【００２７】
前記光ディスク判別手段は、前記増幅手段により増幅された電気信号のピーク値または、振幅を測定することにより、低反射率（１０％程度）の光ディスクの信号面の反射光量なのか、高反射率(６０％〜８５％)の光ディスク信号面の反射光量なのかを判別する事ができ、より一層、光ディスクの種類を判別することが可能になる。
【００２８】
前記増幅手段は、前記光ディスク判別手段の判別結果に応じて、前記反射光量検出手段から出力された電気信号の増幅率を切り替えることにより、光ディスクの種類の判別後に、判別された各々の光ディスクに適応した増幅率で反射光量を増幅することができ、安定した記録再生が可能になる。
【発明の効果】
【００２９】
本発明によれば、どのような種類の光ディスクにおいてもその表面からの反射光量と信号面からの反射光量との間に信号面の反射光量であると判別できる基準レベルを設定することが可能になるので、低反射率の光ディスクを確実に判別することが可能になる。
【００３０】
また、本発明によれば、光ディスクの信号面の反射光量を測定するすることで、反射光量の増幅率を切り替えることができ、安定した光ディスクの記録再生状態を維持することが可能になる。
【発明を実施するための最良の形態】
【００３１】
以下、本発明の実施の形態について、図面を参照して詳細に説明する。なお、各図において同一の構成または機能を有する構成要素及び相当部分には、同一の符号を付してその説明は繰り返さない。
【００３２】
図１は、本発明の一実施の形態に係る光ディスク装置の概略構成を示すブロック図である。
【００３３】
図１に示すように本発明の実施の形態に係る光ディスク装置１００は、光ピックアップ１１０、フロントエンドプロセッサ１２０、光ディスクコントローラ１３０、ドライバ１４０、等を備えている。
【００３４】
光ピックアップ１１０は、対物レンズ１１１、アクチュエータ１１２、レンズやミラーなどで構成される光学系１１３、半導体レーザ（赤色、赤外、青色等の波長レーザ）１１４、反射光量検出手段としての光検出素子１１６などで構成されている。
【００３５】
集光光学系は、対物レンズ１１１を含んだ光学系１１３のことを表しており、半導体レーザ１１４から出射される光ビーム（レーザ光）を光ディスク上に微小スポット状に収束させている。すなわち、半導体レーザから出射された光ビームを集光させる構成となっている。
【００３６】
フロントエンドプロセッサ１２０は、光ピックアップ１１０からの信号を演算しサーボ信号を生成する機能をもつサーボ信号生成部１２１と、そのサーボ信号の出力を増幅する機能をもつ増幅手段としてのゲインアンプ１２２と、光ピックアップ１１０の光検出素子１１６からの信号に応じてＡＰＣ（オートパワーコントロール）を行うためのレーザ駆動部１１５によって構成されている。
【００３７】
光ディスクコントローラ１３０は、フロントエンドプロセッサ１２０からのサーボ信号を基に、アクチュエータ１１２を駆動させる出力信号を演算する機能あるいは演算素子などをもつ制御部１３２に加え、ディスク判別を行うための光ディスク判別手段としてのディスク判別部１３１も備える。
【００３８】
図１において、光ディスク２００は、光ディスク装置１００に挿入されると、ディスクローディング部１６０のローディング機構（不図示）により所定のクランプ位置に送られ、スピンドルモータ１０１の回転軸に勘合されたターンテーブルに載置され、クランパ１０２によりクランプされる。
【００３９】
スピンドルモータ１０１は、制御部１３２からの指令によってモータドライバ部１５０により駆動され、光ディスク２００を所定の速度で回転する。
【００４０】
半導体レーザ１１４は、レーザ駆動部１１５により駆動されて光ビームを射出する。
【００４１】
半導体レーザ１１４から射出された光ビームは、光学系１１３を介して対物レンズ１１１に入射される。
【００４２】
対物レンズ１１１は、アクチュエータ１１２に上下左右方向に移動可能に支持されており、対物レンズ１１１はドライバ１４０によって光軸方向に強制的に駆動させてフォ−カスサーチが行われ、光軸上の異なった位置に焦点が結ばれ、あるいは、記録再生状態には、対物レンズ１１１はドライバ１４０によって光軸上の信号面に焦点を結ぶ、その位置を保持する。
【００４３】
光ディスク２００の表面あるいは信号面からの反射光は、反射光量検出手段としての光検出素子（フォトディテクタ）１１６により電気信号に変換され、サーボ信号生成部１２１で反射光量に応じた反射光量信号や再生時に必要なフォーカスエラー信号やトラッキングエラー信号などのサーボ信号に変換される。
【００４４】
サーボ信号生成部１２１で生成されたサーボ信号はゲインアンプ１２２で増幅され、再生時には制御部１３２に、起動時のディスク判別時にはディスク判別部１３１を経由して制御部１３２に、出力する。ここで、サーボ信号とは光ディスク信号面の螺旋状に記録されているピット等の形状を記録再生時に追従する為のフォーカス（光軸方向）やトラッキング（半径方向）を制御する信号を表す。
【００４５】
ゲインアンプ１２２は、光ディスクの信号面からの反射光量と表面からの反射光量の光量差を拡大する為の増幅率Ａ、低反射率の光ディスクの信号再生に適応させる増幅率Ｂ、高反射率の光ディスクの信号再生に適応させる増幅率Ｃ等の複数の増幅率を設定することが可能で、必要に応じて切り替えて反射光量あるいはサーボ信号を増幅することができる。この設定されている増幅率は、例えば、増幅率Ａ＞増幅率Ｂ＞増幅率Ｃのような関係になっている。
【００４６】
ディスク判別部１３１は、ゲインアンプ１２２から入力された各信号の波形情報に基づいて光ディスク２００の種類を判別し、判別結果を制御部１３２に送る。ここで、波形情報とは波形の振幅値や波形のピーク値、あるいはあらかじめ設定された基準レベルと波形情報との比較結果などである。また、ディスク判別部が制御部に送信する判別結果とは、たとえばディスクの種類別に異なる電圧値などであり、あらかじめ任意に設定しておけばよい。また、ディスク判別部１３１は、より具体的には、例えば光ディスクコントローラやシステムマイコンなどの半導体を用いる。
【００４７】
制御部１３２は、ディスク判別部１３１から受け取った判別結果に基づいて、挿入された光ディスク２００が本装置でデータ記録再生可能な適合したディスクであるかどうか判断する。
【００４８】
制御部１３２が、本装置でデータ記録再生可能な適合した光ディスクと判断した場合には、データの記録再生動作に移行するように制御部１３２がドライバ１４０制御し、これによりアクチュエータ１１２がサーボ制御される。ここで、データ記録再生可能な適合したディスクとは、例えばＣＤ、ＣＤ−Ｒ、ＤＶＤなどのディスクである。また、制御部１３２は、より具体的には、ディスク判別部同様、例えば光ディスクコントローラやシステムマイコンなどを用いる。
【００４９】
制御部１３２が本装置でデータ記録再生不可能な不適合なディスクであると判断した場合には、挿入された光ディスク２００を速やかにイジェクトするように、ディスクローディング部１６０にイジェクト指令を出す。ここで、データ記録再生不可能な不適合なディスクとは、例えば、光を反射しない等の光ディスクとしては再生できない同型状のディスクや、裏挿入されたディスク、記録型光ディスクが未記録の場合も含む。
【００５０】
ここで、ディスク判別部１３１が光ディスク２００の種類を判別し終えるまで、すなわち、ディスク判別部１３１がディスクの種類を判別する処理を開始してから判別結果を制御部１３２に送るまでの間、ゲインアンプ１２２の増幅率を低反射率の光ディスクに適合した増幅率Ｂの一定の値に固定した場合において、光ディスク装置１００の光ディスク２００の種類の判別処理動作について説明する。
【００５１】
図２は、ディスク判別部１３１が光ディスク２００の種類を判別し終えるまでゲインアンプ１２２の増幅率を一定の値に固定した場合における光ディスク装置１００の光ディスクの種類の判別処理動作を示すフローチャートである。
【００５２】
図３は、ディスク判別部１３１が光ディスク２００の種類を判別し終えるまでゲインアンプ１２２の増幅率を一定の値に固定した場合における光ディスク装置１００の光ディスクの種類の判別処理動作を説明するための概略図であり、対物レンズ１１１の動作を時系列で示している。すなわち、図３では、対物レンズ１１１は、光ディスク２００のトラッキング方向（半径方向）に移動している状態の説明ではなく、光軸方向（上下方向）の移動を説明するものである。
【００５３】
図２において、光ディスク装置１００への光ディスク２００の挿入をディスクセンサ（不図示）が検知すると、ディスクローディング部１６０のディスクローディング動作により光ディスク２００を所定のクランプ位置に送る（ステップＳＴ２０１）。
【００５４】
次いで、上述のディスクローディングにより所定のクランプ位置に送った光ディスク２００を、クランパ１０２によりスピンドルモータ１０１の回転軸にクランプする（ステップＳＴ２０２）。
【００５５】
このディスククランプが完了したか否かは、図示しないクランプスイッチのＯＮ／ＯＦＦなどにより判断する。
【００５６】
次いで、光ピックアップ１１０のアクチュエータ１１２により対物レンズ１１１を光ディスク２００の内周側に移動する（ステップＳＴ２０３）。
【００５７】
次いで、アクチュエータ１１２により対物レンズ１１１を光ディスク２００に近づく方向に強制的に移動させながら光軸上の異なった位置に焦点を結ばせて、光ディスク２００からの反射光量を測定する（ステップＳＴ２０４）。これにより、図３に示すように、まず、時間ｔａにおいて、光ビームが光ディスク２００の表面２００ａに合焦したときの反射光量Ｌａが測定される。
【００５８】
その後、光ビームが光ディスク２００の信号面２００ｂに合焦した時間ｔｂにおいて、反射光量Ｌｂが測定される。
【００５９】
次いで、上述のようにして測定した信号面２００ｂからの反射光量Ｌｂが予め設定したディスク判別用の基準レベルＬｓを越えたか否か判断する（ステップＳＴ２０５）。ここで、基準レベルＬｓは、光ディスク２００の表面２００ａからの反射光量Ｌａより大きく、かつ光ディスク２００の信号面２００ｂからの反射光量Ｌｂより小さい値に設定されている。
【００６０】
ステップＳＴ２０５において、光ディスク２００の信号面２００ｂからの反射光量Ｌｂが基準レベル値Ｌｓを越えている（Ｌｂ＞Ｌｓ）場合には、挿入された光ディスク２００が本装置でデータ記録再生可能な適合したディスクであると判断される。
【００６１】
そして、挿入された光ディスク２００が本装置でデータ記録再生可能な適合したディスクであると判断された場合には、光ディスク２００の信号面２００ｂからの反射光量Ｌｂから時間ｔｃにおいてゲインアンプ定数を設定（ステップＳＴ２０６）する。ここで、ゲインアンプ定数の設定とは、反射光量Ｌｂサーボ信号の振幅を増幅するときの増幅率であり、例えば、判別結果が、低反射率の光ディスクであれば、そのままの増幅率を保持し、あるいは高反射率の光ディスクであれば、高反射率の光ディスクに適応した増幅率Ｃが設定される。
【００６２】
その後、データの記録再生動作に移行する為の起動処理を実行する（ステップＳＴ２０７）。
【００６３】
一方、ステップＳＴ２０５において、光ディスク２００の信号面２００ｂからの反射光量Ｌｂが基準レベルＬｓを越えていない（Ｌｂ＜Ｌｓ）場合には、光ディスク２００の表面２００ａの汚れなどによる判断ミスを回避するために、上述したディスク判別処理動作(ＳＴ２０４)を再度実行（リトライ）する（ステップＳＴ２０８）。ステップＳＴ２０８を実行する前に、スピンドルモータ１０１を回転させるなどして、光ビームが照射する光ディスク２００の表面位置を変える、あるいは、光ピックアップの位置を変えるようなことをしても良い。
【００６４】
このリトライの結果、挿入された光ディスク２００が本装置でデータ記録再生可能な適合したディスクであると判断した場合、つまりステップＳＴ２０９において「ＹＥＳ」の場合には、ステップＳＴ２０６に移行する。
【００６５】
一方、リトライの結果、リトライＮＧ、つまりステップＳＴ２０９において「ＮＯ」の場合には、所定回数のリトライが完了したか否か判断する（ステップＳＴ２１０）。
【００６６】
そして、ステップＳＴ２０８での所定回数のリトライが実行された結果、全てのリトライがＮＧで完了した場合には、半導体レーザの変更を行い（ステップＳＴ２１４）再度リトライを実行する。ここで半導体レーザの変更とは、例えばＣＤレーザからＤＶＤレーザへと切り替える、あるいはＤＶＤレーザからＣＤレーザへと切り替える事を表す。半導体レーザの変更を行う前に、半導体レーザを変更してすでにリトライしたかを確認する（ステップＳＴ２１１）。半導体レーザの種類を変更して、全てのリトライが完了した場合、すなわちステップ２１１で「ＹＥＳ」の場合、挿入されている光ディスク２００は本装置でデータ記録再生不可能な不適合なディスクであると判断して、このディスクを速やかにイジェクトし（ステップＳＴ２１２）、図示しない表示部に「ディスクをお確かめください」とのメッセージを表示する（ステップＳＴ２１３）。または、メッセージの表示以外に音声による案内でも良い。
【００６７】
ところで、前述したように、光ディスク２００は、表面２００ａからの反射光量Ｌａと信号面２００ｂからの反射光量Ｌｂとの光量差Ｌδは、ディスクの種類によって異なった値となる。
【００６８】
図４および図５は、図３と同様に、ディスク判別部１３１が光ディスク２００の種類を判別し終える迄のゲインアンプ１２２の増幅率を一定の値に固定した場合における光ディスク装置１００の光ディスクの種類の判別処理動作を説明するための概略図であり、図４中の（ａ）はＣＤ−ＲＯＭの光量差Ｌδ、（ｂ）はＣＤ−ＲＷとの光量差Ｌδを、また、図５中の（ａ）はＤＶＤ−ＲＯＭの光量差Ｌδ、（ｂ）はＤＶＤ−ＲＷとの光量差Ｌδをそれぞれ比較説明するための図である。
【００６９】
例えば、図４に示すように、ＣＤディスクの場合、ＣＤ−ＲＷディスクの光量差Ｌδが、ＤＶＤディスクの場合、ＤＶＤ−ＲＷディスクの光量差Ｌδが小さくなる傾向にあり、特にその低反射率の光ディスクでは０に近い値になる。
【００７０】
そのため、前述したようなディスク判別部１３１が光ディスクの種類を判別する処理を開始してから判別結果を制御部１３２に送るまでの間、ゲインアンプ１２２の増幅率を一定の値に固定した場合では、記録再生可能な適合した光ディスク２００であるにもかかわらず、光量差Ｌδが小さくなる傾向にあるので、基準レベルＬｓを適正に設定する事が難しくなり、その信号面２００ｂからの反射光量Ｌｂがディスク判別用の基準レベルＬｓよりも下回ってしまって判別ミスが生じてしまうことがある。
【００７１】
すなわち、例えば、光ディスク２００の種類を判別する際にＣＤディスク用の光ビームを使用し、ディスク判別用の基準レベルＬｓを、図４に示すように、ＣＤ−ＲＯＭディスクの表面２００ａからの反射光量Ｌａと信号面２００ｂからの反射光量Ｌｂとの間の値に設定したとする。
【００７２】
このような場合、図５に示すように、ＤＶＤ−ＲＷディスクは、記録再生可能な適合した光ディスク２００であるにもかかわらず、その信号面２００ｂからの反射光量Ｌｂがディスク判別用の基準レベルＬｓよりも下回ってしまってしまうため、イジェクトされてしまうという判別ミスが生じてしまう。
【００７３】
そこで、本例の光ディスク装置１００においては、図６及び図７に示すように、ディスク判別手段による判別処理に先立って、光ディスク装置１００に挿入された光ディスクの種類にかかわらず光検出素子１１６を経由して出力される反射光量信号を増幅することで、光ディスク２００の種類を判別する際のディスク判別用の基準レベルＬｓを、その表面２００ａからの反射光量Ｌａと信号面２００ｂからの反射光量Ｌｂとの間の値に確実に設定できるようにしている。
【００７４】
図６は、本発明の一実施の形態に係る光ディスク装置における光ディスクの種類の判別処理動作を示すフローチャートである。
【００７５】
図７は、本発明の一実施の形態に係る光ディスク装置における光ディスクの種類の判別処理動作を説明するための概略図であり、図３と同様に、対物レンズ１１１の動作を時系列で示している。すなわち、図７では、対物レンズ１１１は、光ディスク２００のトラッキング方向（半径方向）に移動している状態の説明ではなく、光軸方向（上下方向）の移動を説明するものである。
【００７６】
図６において、光ディスク装置１００への光ディスク２００の挿入をディスクセンサ（不図示）が検知すると、ディスクローディング部１６０のディスクローディング動作により光ディスク２００を所定のクランプ位置に送る（ステップＳＴ６０１）。
【００７７】
次いで、上述のディスクローディングにより所定のクランプ位置に送った光ディスク２００を、クランパ１０２によりスピンドルモータ１０１の回転軸にクランプする（ステップＳＴ６０２）。
【００７８】
このディスククランプが完了したか否かは、図示しないクランプスイッチのＯＮ／ＯＦＦにより判断する。
【００７９】
次いで、ディスククランプした光ディスク２００をスピンドルモータ１０１により回転し、光ピックアップ１１０のアクチュエータ１１２により対物レンズ１１１を光ディスク２００の内周側に移動する（ステップＳＴ６０３）。
【００８０】
次いで、光ディスク装置１００に挿入された光ディスクの種類にかかわらず、図７に示す時間ｔａの前の時点でゲインアンプ１２２の増幅率を上げる（ステップＳＴ６０４）。ステップＳＴ６０４に関しては、ゲインアンプ１２２およびディスク判別部１３１等のダイナミックレンジに範囲以上にサーボ信号の振幅が大きくなってもよく、例えば、サーボ信号の飽和に関わらず、光ディスク表面の反射光量と信号面の反射光量を比較し、信号面からの反射光量であると確実に判別することが可能な増幅率になっても構わない。あるいは、低反射率の光ディスクのサーボ信号が光ピックアップ１１０等の部品ばらつきを考慮して、ゲインアンプ１２２およびディスク判別部１３１等のダイナミックレンジに範囲外の飽和状態にならない程度の増幅率にしても構わない。
【００８１】
すなわち、ゲインアンプ１２２の増幅率を、光ディスク装置１００に挿入された光ディスクの種類にかかわらず、基準レベルＬｓが設定できるような光量差Ｌδの値であればよい。図７は、高反射率の光ディスクの場合を示したものであり、光ビームが光ディスク２００の信号面２００ｂに合焦したときの反射光量Ｌｂが、ダイナミックレンジの範囲以上の飽和状態になっているが、光量差Ｌδが確保できかつ適切なレベルに基準レベルＬｓを設定できれば、ゲインアンプ１２２の増幅率を上げても良い。
【００８２】
次いで、本例の光ディスク装置１００においては、ゲインアンプ１２２は、低反射率の光ディスクを想定しおり、低反射率の光ディスクに適応した増幅率で増幅した状態で、アクチュエータ１１２により対物レンズ１１１を光ディスク２００に近づけ反射光量を測定する（ステップＳＴ６０５）。
【００８３】
これにより、図７に示すように、光ビームが光ディスク２００の表面２００ａに合焦した時間ｔａの反射光量Ｌａと、光ビームが光ディスク２００の信号面２００ｂに合焦した時間ｔｂの反射光量Ｌｂとの光量差Ｌδが十分に大きな値になる。
【００８４】
ただし、図７に示すように、時間ｔｂまでは、光ディスク２００の信号面２００ｂからの反射光量Ｌｂが増幅率を上げたことにより飽和状態になっている場合には、ダイナミックレンジの範囲内における反射光量信号Ｓの最大値が光ディスク２００の信号面２００ｂからの反射光量Ｌｂとして測定される。
【００８５】
従って、本例の光ディスク装置１００においては、ディスク判別用の基準レベルＬｓを、どのような種類の光ディスク２００においてもその表面２００ａからの反射光量Ｌａと信号面２００ｂからの反射光量Ｌｂとの間の値に確実に設定できるようになる。
【００８６】
次いで、上述のようにして測定した信号面２００ｂからの反射光量Ｌｂが予め設定したディスク判別用の基準レベルＬｓを越えたか否か判断する（ステップＳＴ６０６）。
【００８７】
ステップＳＴ６０６において、光ディスク２００の信号面２００ｂからの反射光量Ｌｂが基準レベルＬｓを越えている（Ｌｂ＞Ｌｓ）場合には、挿入された光ディスク２００が本装置でデータ記録再生可能な適合したディスクであると判断する。
【００８８】
次いで、挿入された光ディスク２００が本装置でデータ記録再生可能な適合したディスクであると判断した場合には、判断した時点以後の時間ｔｃでゲインアンプ１２２の増幅率を、高反射ディスクでも飽和しないような値まで下げる（ステップＳＴ６０７）。この場合、ゲインアンプ１２２には、高反射率の光ディスクに適応した増幅率が設定されている。あるいは、ディスク判別部１３１の判別結果が低反射率のディスクであれば、そのままの増幅率で構わない。
【００８９】
そして、このようにゲインアンプ１２２の増幅率を下げた状態で、アクチュエータ１１２により対物レンズ１１１を光ディスク２００から遠ざけるときの時間ｔｄで、再度、光ディスク２００の信号面２００ｂからの反射光量Ｌｃを測定し（ステップＳＴ６０８）、ゲインアンプ定数を設定する。すなわち、ディスク判別部１３１の判別結果に応じた増幅率で、光検出素子１１６から出力された電気信号をゲインアンプ１２２にて切替をする。
【００９０】
このようにしてゲインアンプ定数を設定した後、データの記録再生動作に移行するための起動処理を実行する（ステップＳＴ６０９）。
【００９１】
ここで、高反射ディスクにおいて、増幅率を下げずに、すなわちステップＳＴ６０７の処理を行わずに、ステップＳＴ６０８を行った場合、前述のように、ダイナミックレンジの範囲内における反射光量信号の最大値が光ディスク２００の信号面２００ｂからの反射光量Ｌｂとして測定されることになるため、データの記録再生動作へ移行中のゲインアンプ定数が、期待される値より大きな値になる。このゲインアンプ定数は、表面反射からの反射光量に対しても同じように増幅するため、表面からの反射を信号面からの反射と間違えて制御を開始してしまう可能性があり、このために、ステップＳＴ６０７をステップＳＴ６０８の前の行う必要がある。
【００９２】
一方、ステップＳＴ６０６において、光ディスク２００の信号面２００ｂからの反射光量Ｌｂが基準レベルＬｓを越えていない（Ｌｂ＜Ｌｓ）場合には、光ディスク２００の表面２００ａの汚れなどによる判断ミスを回避するために、ディスク判別のリトライを行う（ステップＳＴ６１０）。
【００９３】
そして、このリトライの結果、挿入された光ディスク２００が本装置でデータ記録再生可能な適合したディスクであると判断した場合、つまりステップＳＴ６１１において「ＹＥＳ」の場合には、ステップＳＴ６０７に移行する。
【００９４】
一方、リトライの結果、リトライＮＧ、つまりステップＳＴ６１１において「ＮＯ」の場合には、所定回数のリトライが完了したか否か判断する（ステップＳＴ６１２）。
【００９５】
そして、ステップＳＴ６１０での所定回数のリトライが実行された結果、全てのリトライがＮＧで完了した場合には、半導体レーザの変更を行い（ステップＳＴ６１６）再度リトライを実行する。ここで半導体レーザの変更とは、例えばＣＤレーザからＤＶＤレーザへと切り替える。半導体レーザの変更を行う前に、半導体レーザを変更してすでにリトライしたかを確認する（ステップＳＴ６１３）。半導体レーザの種類を変更して、全てのリトライが完了した場合、すなわちステップＳＴ６１３で「ＹＥＳ」の場合、挿入されている光ディスク２００は本装置でデータ記録再生不可能な不適合なディスクであると判断して、このディスクを速やかにイジェクトし（ステップＳＴ６１４）、図示しない表示部に「ディスクをお確かめください」などのメッセージ表示を行い（ステップＳＴ６１５）、使用者へ報知する。または、メッセージの表示以外に音声による案内でも良い。
【００９６】
上述のように、本例の光ディスク装置１００においては、光ディスク２００からの反射光を増幅して基準レベルＬｓと比較する信号面２００ｂからの反射光量Ｌｂの分解能を上げることができるので、光ディスク２００の種類を確実に判別することができる。つまり、本例の光ディスク装置１００においては、どのような種類の光ディスクにおいてもその表面からの反射光量と信号面からの反射光量との間に信号面の反射光量であると判別できる基準レベルを設定できるので、光ディスクの種類（特に低反射率光ディスク）をミス無く判別することができる。
【産業上の利用可能性】
【００９７】
本発明に係る光ディスク装置は、光ディスクの種類をミス無く判別することができるので、記録媒体としての光ディスクの種類を判別する光ディスク装置として有用である。
【図面の簡単な説明】
【００９８】
【図１】本発明の一実施の形態に係る光ディスク装置の概略構成を示すブロック図
【図２】光ディスク装置における光ディスクの種類の一般的な判別処理動作を示すフローチャート
【図３】光ディスク装置における光ディスクの種類の一般的な判別処理動作を説明するための概略図
【図４】光ディスク装置におけるＣＤディスクの反射光量について説明するための概略図
【図５】光ディスク装置におけるＤＶＤディスクの反射光量について説明するための概略図
【図６】本発明の一実施の形態に係る光ディスク装置における光ディスクの種類の判別処理動作を示すフローチャート
【図７】本発明の一実施の形態に係る光ディスク装置における光ディスクの種類の判別処理動作を説明するための概略図
【図８】従来の光ディスク装置の概略構成を示すブロック図
【符号の説明】
【００９９】
１００  光ディスク装置
１０１  スピンドルモータ
１０２  クランパ
１１０  光ピックアップ
１１１  対物レンズ
１１２  アクチュエータ
１１３  光学系
１１４  半導体レーザ
１１５  レーザ駆動部
１１６  光検出素子（反射光量検出手段）
１２０  フロントエンドプロセッサ
１２２  ゲインアンプ（増幅手段）
１３０  光ディスクコントローラ
１３１  ディスク判別部（光ディスク判別手段）
１３２  制御部
１４０  ドライバ
１５０  モータドライバ部
１６０  ディスクローディング部
２００  光ディスク
【図１】
2007334981.tif 000003
【図２】
2007334981.tif 000004
【図３】
2007334981.tif 000005
【図４】
2007334981.tif 000006
【図５】
2007334981.tif 000007
【図６】
2007334981.tif 000008
【図７】
2007334981.tif 000009
【図８】
2007334981.tif 000010